(57)【特許請求の範囲】
【請求項１】
内面に多数の凹凸が形成された発泡成形型への装着状態において成形空間に面する一端面に、多数の蒸気孔が開口しているコアベントであって、
前記一端面には、蒸気孔の開口よりも前方に突出した凸部及び蒸気孔の開口よりも後方に凹んだ凹部が多数形成され、一端面における凸部と凹部のうちの凸部に蒸気孔の開口が位置していることを特徴とする発泡成形型に使用されるコアベント。
【請求項２】
前記凸部が、二方向に伸びる突条からなり、それら二方向の突条が交叉する交叉部に蒸気孔の開口が形成されていることを特徴とする請求項１記載のコアベント。
【請求項３】
内面に多数の凹凸が形成され且つ請求項１又は２記載のコアベントが装着された発泡成形型を使用することを特徴とする発泡成形方法。
【発明の詳細な説明】
【技術分野】
【０００１】
本発明は、発泡成形型に使用されるコアベント及び発泡成形方法の改良に関する。
【背景技術】
【０００２】
従来、二つの発泡成形型（コア型とキャビティ型）の間の成形空間（キャビティ）に発泡性の熱可塑性樹脂粒子を充填し、加熱媒体としての蒸気を成形空間に入れて前記粒子を加熱膨張させる発泡成形方法が知られている。そして、該方法においては、成形型にコアベントを多数装着し、そのコアベントの蒸気孔から成形空間に蒸気を流入させている（例えば下記特許文献１）。また、発泡成形型の内面に多数の凹凸を形成し、該凹凸模様を発泡成形体の表面に転写することも行われている。
【特許文献１】特開２００５−５１９７９号公報
【発明の開示】
【発明が解決しようとする課題】
【０００３】
このように発泡成形体の表面に凹凸模様を転写すると発泡粒子による亀甲模様が目立ちにくくなるという利点があるが、発泡成形体の表面に、多数のコアベントに起因した多数の円形模様も同時に形成されることとなり、このコアベントの模様が目立つようになるという問題がある。
【０００４】
それゆえに本発明は、上記従来の問題に鑑みてなされ、内面に多数の凹凸を形成した発泡成形型を使用する場合において、発泡成形体の表面に生じるコアベントに起因した模様を目立ちにくくすることによって、発泡成形体の美観の更なる向上を図ることを課題とする。
【課題を解決するための手段】
【０００５】
本発明は、上記課題を解決すべくなされたものであり、本発明に係る発泡成形型に使用されるコアベントは、内面に多数の凹凸が形成された発泡成形型への装着状態において成形空間に面する一端面に、多数の蒸気孔が開口しているコアベントであって、前記一端面には、蒸気孔の開口よりも前方に突出した凸部及び蒸気孔の開口よりも後方に凹んだ凹部が多数形成され、一端面における凸部と凹部のうちの凸部に蒸気孔の開口が位置していることを特徴とする。
【０００６】
該構成のコアベントを内面に多数の凹凸が形成された発泡成形型に装着して発泡成形を行うのであるが、該装着状態において成形空間に面するコアベントの一端面には多数の蒸気孔が開口しており、このコアベントの蒸気孔を介して成形空間に蒸気が流入されることとなる。そして、そのコアベントの一端面には蒸気孔の開口よりも前方に突出した凸部又は蒸気孔の開口よりも後方に凹んだ凹部が多数形成されていて、発泡成形型の内面と同様にコアベントの一端面も平坦面ではなく凹凸面となっている。従って、得られた発泡成形体の表面におけるコアベントに対応した部分には、他の部分同様に凹凸模様が形成されることとなる。
また、一端面における凸部と凹部のうちの凸部に蒸気孔の開口が位置していることから、蒸気孔の開口が凹部側ではなく凸部側にあって凹部よりも開口が前方に位置しているため、蒸気孔の開口から出る離型エアーが発泡成形体の凹形状に沿って流れることになり、発泡成形体が発泡成形型から浮きやすくなって離型性に優れる。
【０００７】
また、本発明のコアベントは、前記凸部が、二方向に伸びる突条からなり、それら二方向の突条が交叉する交叉部に蒸気孔の開口が形成されていてもよい。
【発明の効果】
【０００８】
以上のように、コアベントの一端面に蒸気孔の開口よりも前方に突出した凸部又は蒸気孔の開口よりも後方に凹んだ凹部が多数形成されているので、発泡成形体の表面全体に凹凸模様が形成されることとなり、コアベントの一端面の輪郭に起因した模様が目立ちにくくなって発泡成形体の美観を高めることができる。
【発明を実施するための最良の形態】
【０００９】
以下、本発明に係るコアベントの一実施形態について図面を参酌しつつ説明する。
図１乃至図３に本実施形態におけるコアベントを示しているが、該コアベント１は、全体として円筒状であって、その一端側には所定厚の円盤状の壁面部２を有し、その他端側は開口している。即ち、コアベント１の他端側にはコアベント１の軸線Ｔと同軸状の丸形の大孔３がザグリ状に形成されていて、該大孔３の深さがコアベント１の軸線方向の全長の半分以上であることから、前記円盤状の壁面部２の厚さはコアベント１の軸線方向の全長の半分以下となっている。そして、壁面部２には、それを貫通するように軸線方向に沿った丸形の蒸気孔４が多数形成されていて、該蒸気孔４はその他端側において大孔３と連通している。従って、蒸気は大孔３から各蒸気孔４へ流入して、コアベント１の一端面５における蒸気孔４の開口４ａから出ていくこととなる。蒸気孔４の数は任意であるが、例えば、５〜３０個（より好ましくは６〜２４個）である。
【００１０】
このように、コアベント１の一端面５には蒸気孔４の開口４ａが多数形成されているのであるが、この一端面５は平坦面ではなく凹凸面となっている。即ち、コアベント１の一端面５には直交する二方向に伸びる突条６がそれぞれ所定間隔毎に複数形成され、各突条６は直線状であって且つ円形の一端面５の端から端まで形成されている。従って、二方向の突条６が一端面５に格子状に形成されることで、二方向の突条６によって区画された正方形の領域は凹部７となっている。各突条６の高さは一定であるので、全ての凹部７の深さも一定であり、凹部７の底面はフラットとされている。なお、突条６は断面三角形状であって、頂角は鋭角である。なお、突条６間のピッチは例えば１〜４．５ｍｍ（より好ましくは１．５〜４ｍｍ）であり、突条６の高さは例えば０．３〜２ｍｍ（より好ましくは０．８〜１．２ｍｍ）である。
【００１１】
そして、二方向の突条６が交叉する交叉部８に前記蒸気孔４の開口４ａが形成されている。従って、凹部７は蒸気孔４の開口４ａより後方に位置し、換言すれば、開口４ａは凸部側にある。なお、図３に示すように、大孔３に対応した円形の領域の中に存在する全ての交叉部８にそれぞれ蒸気孔４の開口４ａが位置しており、その領域外に位置する交叉部８には蒸気孔４の開口４ａは存在しない。また、蒸気孔４の開口４ａの直径は突条６の幅よりも小さい。
【００１２】
なお、コアベント１は一般的には真鍮、アルミニウム、アルミ合金、スレンレス等の金属から形成されるが、樹脂を使用することも可能である。また、発泡樹脂の付着を抑制するために被覆コート品とすることが好ましい。更に、コアベント１の直径は一般的には数ｍｍから十数ｍｍ（例えば６〜１０ｍｍ）のものが使用され、蒸気孔４は例えば直径０．５〜１．５ｍｍ（より好ましくは０．８〜１．２ｍｍ）のものが使用される。
【００１３】
以上のように構成されたコアベント１は、その一端面５が成形空間１１（キャビティ）に面するようにして発泡成形金型１２（発泡成形型）に多数装着されるが、具体的には、図４のように、発泡成形金型１２に形成された貫通孔１３に圧入により装着される。そして、チャンバ１４からコアベント１の大孔３と各蒸気孔４とを通過して蒸気が成形空間１１へと入れられる。なお、図４では、発泡成形金型１２の厚さとコアベント１の軸線方向全長とが略等しく、従って、コアベント１の一端面５は発泡成形金型１２の内面１２ａと略面一である。なお、金型材料としては例えばアルミニウムやステンレスが使用される。
【００１４】
かかる発泡成形金型１２の内面１２ａには、発泡成形体の表面の亀甲模様を目立ちにくくするため、あるいは、使用状態において近接する他の部材に発泡成形体が擦れた際における擦れ音の抑制のため、多数の凹凸が形成されている。その凹凸の形成手法としては種々のものが採用可能であって、例えば、木型（原型）から砂型を作成し、その砂型から発泡成形金型１２を鋳造する手法の場合、木型に合成樹脂性のメッシュシートを取り付けてその凹凸模様を順次転写させることによって、発泡成形金型１２の内面１２ａに凹凸模様を形成することができる。なお、メッシュシートを使用する以外に、金網やパンチングメタルを使用することもできる。そして、図４には、発泡成形金型１２の凹凸の高さ（深さ）とコアベント１の突条６の高さとを等しくした場合を示している。
【００１５】
以上のような発泡成形金型１２を使用して例えばポリスチレン系樹脂、スチレン改質ポリエチレン系樹脂、スチレン改質ポリプロピレン系樹脂、ポリエチレン系樹脂、ポリプロピレン系樹脂、ポリ乳酸系樹脂等からなる発泡成形体（例えば自動車用内装部材）を成形により形成すると、その発泡成形体の表面には発泡成形金型１２の内面１２ａの凹凸模様が転写されると共にコアベント１の一端面５における凹凸模様も転写される。従って、発泡成形体の表面全体に凹凸模様が形成されるので、その表面において亀甲模様が目立ちにくくなると同時にコアベント１の一端面５の輪郭である円形の模様も目立ちにくくなり、外観上極めて良好な発泡成形体を得ることができる。このコアベント１は多数使用するものであるので、発泡成形体の表面にもコアベント１の模様が多数存在しやすいのであるが、そのコアベント１の模様が目立ちにくくなることで全体として良好な外観が得られるのである。
【００１６】
また、突条６に蒸気孔４の開口４ａを設けているので、発泡成形金型１２の凸形状即ち発泡成形体の凹形状に沿って離型エアーが流れて、発泡成形体の発泡成形金型１２からの離型性が向上する。特に、交叉部８に開口４ａを設けているので、離型エアーが四方に流れて、より一層離型性に優れる。
【００１７】
なお、蒸気孔４の開口４ａを交叉部８に設ける以外に、例えば、交叉部８以外の突条６の部分に設けたり、凹部７の底面に設けたりしてもよい。凹部７の底面に蒸気孔４の開口４ａを設けた場合には、突条６は蒸気孔４の開口４ａから前方に突出することとなる。
【００１８】
また、丸形の蒸気孔４を形成した場合について説明したが、スリット状の蒸気孔４としてもよい。
【００１９】
更に、二方向の突条６を直交させたが鋭角に交叉させてもよく、また、一方向のみに突条６を設けてもよい。
【００２０】
また、突条６を直線状ではなく波形状としたり、あるいは、突条６に代えて丸形や角形等の凸部を多数突設したり、逆に、丸形や角形等の凹部７を凹設したりしてもよい。
【図面の簡単な説明】
【００２１】
【図１】本発明の一実施形態に係るコアベントを示す斜視図。
【図２】同コアベントの一部破断線を含む側面図。
【図３】同コアベントの正面図。
【図４】同コアベントを発泡成形型に装着した状態を示す断面図。
【符号の説明】
【００２２】
１…コアベント、２…壁面部、３…大孔、４…蒸気孔、４ａ…開口、５…一端面、６…突条、７…凹部、８…交叉部、１１…成形空間、１２…発泡成形金型（発泡成形型）、１３…貫通孔、１４…チャンバ
【図１】
0005103121.tif 000002
【図２】
0005103121.tif 000003
【図３】
0005103121.tif 000004
【図４】
0005103121.tif 000005